(57)【特許請求の範囲】
【請求項１】
ディスク状媒体を収納する本体と蓋体とからなるディスク収納ケースであって、
前記本体は、ディスク状媒体の中心孔を係合保持するための略コ字状の貫通溝で周囲が囲まれて弾性を有する保持突起を中央部に一体形成し、かつ該ディスク状媒体をガイドする外周リブを設けた底壁と、前記底壁の外縁にそれぞれ設けられた対向する一対の側壁、前面壁及び背面壁とを備え、前記側壁の略中央の前記底壁に前記ディスク状媒体の取り出しのための切欠きを設けるとともに、前記一対の側壁の一端側にその側壁に沿って延長した延長部を設け、該延長部に突起状の支軸を設け、
前記蓋体は、その内側にインデックスカードが取り付けられ、天壁と、前記天壁の外縁にそれぞれ設けられた対向する一対の側壁及び背面壁とを備えるとともに、前記一対の側壁の端部の前記背面壁側に孔を設け、かつ該孔に隣接する前記天壁に前記本体の前記延長部が入り込む切欠きを設け、該孔に前記本体の前記延長部の前記支軸を枢着して前記蓋体を前記本体に開閉自在に取り付け、
前記蓋体の前記背面壁の高さは、前記蓋体を閉じたときの前記ディスク収納ケースの厚みに略等しい高さに形成され、前記蓋体の背面壁と前記本体の背面壁との間に隙間が設けられていることを特徴とするディスク収納ケース。
【請求項２】
請求項１に記載のディスク収納ケースにおいて、
前記インデックスカードが主面部と背面部とによるＬ形であり、前記蓋体の前記一対の側壁に前記天壁と所定の間隙を介して保持片を設け、前記インデックスカードの前記主面部を前記天壁の内面側に沿うように配置するとともに前記保持片により保持し、前記インデックスカードの前記背面部を前記蓋体の前記背面壁の内面側に沿うように配置したことを特徴とするディスク収納ケース。
【請求項３】
請求項２に記載のディスク収納ケースにおいて、
前記蓋体を閉じたときに、前記本体の前記背面壁の上端面が前記インデックスカードを支持することを特徴とするディスク収納ケース。
【請求項４】
請求項１から請求項３までのいずれか１項に記載のディスク収納ケースにおいて、
前記本体の前記底壁に沿って前記背面壁から前記延長部側に延在する補助壁を設けたことを特徴とするディスク収納ケース。
【発明の詳細な説明】
【０００１】
【発明の属する技術分野】
本発明は、ディスク状媒体、特にカートリッジに収納されていないＣＤ（コンパクトディスク）等のディスク状媒体を収納するディスク収納ケースに関するものである。
【０００２】
【従来の技術】
従来のこの種のディスク収納ケースとしては、第１例として、特開平１０−１０６２０３号公報に開示されたものが知られている。このディスク収納ケースは、本体及び蓋体と、ディスク状媒体の中心孔を係合保持する保持突起を形成したトレイとから構成され、このトレイを本体上に取り付けたものである。
また、第２例として、特開平８−２０７９７８号公報に開示されたものが知られている。このディスク収納ケースは、本体と蓋体とから構成され、上記第１例のようにトレイは設けられておらず、本体にディスク状媒体を係合保持する保持突起を一体形成したものである。この第２例では、第１例のようにトレイがない分だけ全体の薄型化を図ることができるとともに、ディスク収納ケースの部品点数を削減して、コスト低減を図ることができる。
【０００３】
【発明が解決しようとする課題】
しかし、前述の従来のディスク収納ケースでは、以下の問題点があった。
ディスク状媒体には、ＣＤやＣＤ−ＲＯＭのように予め何らかのデータが記録されているものの他、記録可能なＣＤ（ＣＤ−Ｒ、ＣＤ−ＲＷ等）が存在する。そして、後者のものは、そのディスク状媒体に記録した内容をインデックスカードに記入し、このインデックスカードをディスク収納ケースに収納した状態でディスク収納ケースを保管する。保管時は、ディスク収納ケースを立てて並べておくことが一般的であるので、ディスク収納ケースの側面にインデックスカードの見出しを記入する部分が位置する必要がある。
【０００４】
ここで、前述の従来の第１例のものでは、インデックスカードを着脱するときは、トレイを取り外す必要があるので、インデックスカードに記入した内容を変更するとき等はその都度トレイを取り外さなければならず、不便であった。
また、従来の第２例のものでは、蓋体に形成された断面コ字状の部分にインデックスカードを収納することが考えられる。しかし、断面コ字状の部分の内幅が短いので、この部分に入り込むインデックスカードの見出し部の十分な大きさを確保できず、また、見出し等を記入したとしても、記入した内容が読みにくいという問題がある。ここで、断面コ字状部分の内幅を大きくすれば、インデックスカードの見出し部の幅を大きくすることができるが、前述のように、ケース全体の薄型化を図る意味がなくなってしまうという問題がある。
【０００５】
したがって、本発明が解決しようとする課題は、ケース全体の薄型化を図りつつ、側面にインデックスカードの十分な幅を確保したディスク収納ケースを提供することである。
【０００６】
上述の課題を解決するために、請求項１の発明は、ディスク状媒体を収納する本体と蓋体とからなるディスク収納ケースであって、
前記本体は、ディスク状媒体の中心孔を係合保持するための略コ字状の貫通溝で周囲が囲まれて弾性を有する保持突起を中央部に一体形成し、かつ該ディスク状媒体をガイドする外周リブを設けた底壁と、前記底壁の外縁にそれぞれ設けられた対向する一対の側壁、前面壁及び背面壁とを備え、前記側壁の略中央の前記底壁に前記ディスク状媒体の取り出しのための切欠きを設けるとともに、前記一対の側壁の一端側にその側壁に沿って延長した延長部を設け、該延長部に突起状の支軸を設け、
前記蓋体は、その内側にインデックスカードが取り付けられ、天壁と、前記天壁の外縁にそれぞれ設けられた対向する一対の側壁及び背面壁とを備えるとともに、前記一対の側壁の端部の前記背面壁側に孔を設け、かつ該孔に隣接する前記天壁に前記本体の前記延長部が入り込む切欠きを設け、該孔に前記本体の前記延長部の前記支軸を枢着して前記蓋体を前記本体に開閉自在に取り付け、
前記蓋体の前記背面壁の高さは、前記蓋体を閉じたときの前記ディスク収納ケースの厚みに略等しい高さに形成され、前記蓋体の背面壁と前記本体の背面壁との間に隙間が設けられていることを特徴とする。
【０００７】
請求項２の発明は、請求項１に記載のディスク収納ケースにおいて、前記インデックスカードが主面部と背面部とによるＬ形であり、前記蓋体の前記一対の側壁に前記天壁と所定の間隙を介して保持片を設け、前記インデックスカードの前記主面部を前記天壁の内面側に沿うように配置するとともに前記保持片により保持し、前記インデックスカードの前記背面部を前記蓋体の前記背面壁の内面側に沿うように配置したことを特徴とする。
また、請求項３の発明は、請求項２に記載のディスク収納ケースにおいて、前記蓋体を閉じたときに、前記本体の前記背面壁の上端面が前記インデックスカードを支持することを特徴とする。
また、請求項４の発明は、請求項１から請求項３までのいずれか１項に記載のディスク収納ケースにおいて、前記本体の前記底壁に沿って前記背面壁から前記延長部側に延在する補助壁を設けたことを特徴とする。
【０００８】
【作用】
請求項１の発明においては、本体の延長部に蓋体が開閉可能に取り付けられる。そして、蓋体が閉じられたときは、蓋体の背面壁がディスク収納ケースの側面を形成する。したがって、蓋体の背面壁の幅を最大限に長くすることができ、この背面壁に取り付ける見出し等を大きくして、見出し等を見やすくすることができる。
請求項２の発明においては、蓋体の天壁にはインデックスカードの主面部が、背面壁にはインデックスカードの背面部がそれぞれ沿うように装着される。また、インデックスカードは、蓋体の側壁に設けられた保持片によって保持される。したがって、インデックスカードの背面部を蓋体の背面壁と同等の大きさとすることができる。また、インデックスカードを着脱しやすくすることができる。
【０００９】
請求項３の発明においては、蓋体を閉じることにより、本体の背面壁の上端面によって、インデックスカードが支持される。したがって、装着したインデックスカードをさらに安定させることができる。
請求項４の発明においては、蓋体を閉じたときは、本体の背面壁と蓋体の背面壁との間の隙間が補助壁によって小さくなる。したがって、ディスク収納ケースの外観を良くすることができる。
【００１０】
【発明の実施の形態】
以下、図面等を参照して、本発明の一実施形態について説明する。本実施形態のディスク収納ケースは、本体１０と蓋体２０とから構成されている。図１は、ディスク収納ケースの本体１０を示す図であり、（ａ）は内面側を示す平面図、（ｂ）は（ａ）のＡ−Ａ断面を示す断面図である。
本体１０は、底壁１１と、この底壁１１の外縁にそれぞれ立設した側壁１２（１２Ａ及び１２Ｂ）、前面壁１３及び背面壁１４とを備える。底壁１１は、四角形状に形成されるとともに、その中央部にはディスク状媒体（後述）の中心孔と係合してディスク状媒体を保持するための保持突起１５が一体形成されている。この保持突起１５は、環状に等間隔で４つ設けられており、その根元部１５ａが底壁１１に連結されるとともに、その周囲を略コ字状に囲む貫通溝１５ｂが形成されている。これにより、保持突起１５は弾性たわみが可能に形成されている。このように、底壁１１に直接保持突起１５を設けることで、ディスク収納ケースの部品点数を削減することができる。
【００１１】
保持突起１５の外周には、リング状突起１６が設けられている。このリング状突起１６は、底壁１１の内面からわずかに高く形成されたものであり、ディスク状媒体が保持突起１５に保持されたときに、ディスク状媒体の表面の非記録領域と当接し、ディスク状媒体の記録領域が底壁１１の内面に直接接触しないようにするものである。さらに、このリング状突起１６の外周部には、外周リブ１７が設けられている。外周リブ１７は、円弧状をなし、略９０度間隔で４か所に設けられている。外周リブ１７は、ディスク状媒体が底壁１１に保持されたときにディスク状媒体の外周よりわずかに外側に位置して、ディスク状媒体をガイドするものである。
【００１２】
側壁１２は、対向する一対の側壁１２Ａ及び１２Ｂとから構成されている。各側壁１２の略中央部に形成された切欠き１２ａ及び１２ｂは、底壁１１の保持突起１５に保持されたディスク状媒体を取り外しやすくするものである。側壁１２Ａ及び１２Ｂの図１中、左側は、それぞれ背面壁１４からさらに左側に延長した延長部１８が設けられている。そして、この延長部１８の外面側には、蓋体２０を開閉（回動）自在に取り付けるための突起状の支軸１９が設けられている。
【００１３】
図２は、ディスク収納ケースの蓋体２０を示す図であり、（ａ）は内面側を示す平面図、（ｂ）は（ａ）のＢ−Ｂ断面を示す断面図である。
蓋体２０は、透明な樹脂材料で成形されており、四角形状に形成された天壁２１と、対向する一対の側壁２２（２２Ａ及び２２Ｂ）と、側壁２２間に設けられた背面壁２４とを備え、本体１０側に設けられている前面壁１３に相当するものは設けられておらず、２つのリブ２３が設けられている。このリブ２３は、インデックスカード（後述）の一端部と当接して、インデックスカードの動きを規制するためのものである。
【００１４】
天壁２１の図２中、横方向の幅は、本体１０の図１中、横方向の幅と略同一の長さに形成されている。
また、各側壁２２Ａ及び２２Ｂには、インデックスカードを保持するための半円状の保持片２５が設けられている。保持片２５は、側壁２２Ａ及び２２Ｂの所定位置に２つずつ設けられ、天壁２１の内面と所定間隙を介して略並行に設けられている。
【００１５】
側壁２２の図２中、右側端近傍には、本体１０に回動可能に蓋体２０を取り付けるための孔２６が形成されており、本体１０の支軸１９が嵌合可能な大きさに形成されている。また、天壁２１において孔２６が形成された近傍には、切欠き２７が形成されている。切欠き２７は、本体１０の延長部１８が入り込むためのものである。
そして、背面壁２４は、天壁２１の内面側の切欠き２７間に立設されている。背面壁２４の天壁２１の内面からの高さは、本体１０の高さ（本体１０の底壁１１の外面側から本体１０の背面壁１４の上端までの高さ）と略同一に形成されている。
【００１６】
この蓋体２０の内面側には、インデックスカードが取り付けられる。インデックスカードは、Ｌ形に折り曲げ形成された主面部と背面部とを有するものである。インデックスカードは、その主面部が天壁２１の内面側に、その背面部が背面壁２４の内面側に沿うように取り付けられ、さらに主面部は天壁２１と保持片２５との間の間隙を通るように取り付けられる。これにより、インデックスカードは落下することはない。また、インデックスカードの主面部の左側外縁は、リブ２３によって規制される。
ここで、インデックスカードの背面部を、蓋体２０の背面壁２４と略同等の大きさとすることにより、蓋体２０の背面壁２４全体の領域をインデックスカードの背面部の領域、すなわち見出し等の記入領域とすることができ、インデックスカードの背面部への書き込みや読み取りが容易となる。
【００１７】
図３は、本体１０に蓋体２０を取り付けて蓋体２０を閉じたときの、図１（ａ）中、Ａ−Ａ断面に相当する断面図であり、ディスク状媒体Ｄ及びインデックスカードＣを取り付けた状態を示す。
蓋体２０の側壁２２に形成した孔２６に、本体１０の延長部１８に形成した支軸１９を挿入することで、蓋体２０は本体１０の支軸１９の中心を回動支点として開閉自在に本体１０に取り付けられ、本実施形態のディスク収納ケースが形成される。
そして、蓋体２０を開いた状態とし、本体１０の保持突起１５にディスク状媒体Ｄの中心孔を係合させてディスク状媒体Ｄを本体１０の底壁１１内面上に保持し、蓋体２０を閉じれば、図３に示す状態となる。
【００１８】
蓋体２０を閉じたときは、蓋体２０の天壁２１の内面側の図３中、右側端部が本体１０の前面壁１３の上端面と当接する。また、このときは、本体１０の背面壁１４の上端面が蓋体２０の天壁２１内面側に取り付けたインデックスカードＣに近接する。すなわち、蓋体２０を閉じたときは、インデックスカードＣは、さらに本体１０の背面壁１４によっても支持され、本体１０の背面壁１４は、インデックスカードＣの保持の補助的役割を果たす。これにより、インデックスカードＣの保持をより安定させることができる。
【００１９】
図４は、図３の状態から蓋体２０が開き始めたときの状態を示す断面図である。蓋体２０を開いたときは、本体１０と蓋体２０とが平らな状態、すなわち蓋体２０が１８０度又はそれ以上開くことができるようにすることが好ましい。この場合は、図４に示すように、本体１０と蓋体２０の回動中心から本体１０の背面壁１４までの長さをＬ１、回動中心から蓋体２０の背面壁２４の上面までの長さをＬ２とすると、Ｌ１をＬ２より長く設定すれば良い。
【００２０】
図５は、本発明の第２実施形態の本体１０’を示す図であり、（ａ）は内面側を示す平面図であり、（ｂ）は（ａ）のＣ−Ｃ断面を示す断面図である。
この本体１０’において、第１実施形態の本体１０とは、本体１０’に補助壁３１が設けられている点で異なる。その他は、第１実施形態の本体１０と同一である。
本実施形態のように補助壁３１を設けたときは、蓋体２０を閉じたときに、蓋体２０の背面壁２４と本体１０の背面壁１４との間の隙間（図３中、Ｓ）を小さくすることができる。ただし、補助壁３１は、蓋体２０の開閉に支障のない長さ、すなわち蓋体２０の背面壁２４と本体１０の補助壁３１とが干渉しない長さにする必要がある。
【００２１】
【発明の効果】
請求項１の発明によれば、部品点数を削減し、薄型化を図ることができるとともに、ディスク収納ケースの側面の内面側領域を広くし、インデックスカードの見出し等を記入しやすく、及び読みやすくすることができる。
請求項２の発明によれば、背面部の広いインデックスカードを装着することができるとともに、インデックスカードの着脱を容易にすることができる。
【００２２】
請求項３の発明によれば、本体側でもインデックスカードを支持することができ、装着時のインデックスカードをさらに安定させることができる。
請求項４の発明によれば、補助壁によって、本体の背面壁と蓋体の背面壁との間の間隙を小さくすることができ、外観上、体裁の良いディスク収納ケースとすることができ、また、粉塵等の混入をより少なくすることができる。
【図面の簡単な説明】
【図１】ディスク収納ケースの本体を示す図であり、（ａ）は内面側を示す平面図、（ｂ）は（ａ）のＡ−Ａ断面を示す断面図である。
【図２】ディスク収納ケースの蓋体を示す図であり、（ａ）は内面側を示す平面図、（ｂ）は（ａ）のＢ−Ｂ断面を示す断面図である。
【図３】本体に取り付けた蓋体を閉じたときの図１（ａ）中、Ａ−Ａ断面に相当する断面図であり、ディスク状媒体及びインデックスカードを取り付けた状態を示す。
【図４】図３の状態から蓋体が開き始めたときの状態を示す断面図である。
【図５】本発明の第２実施形態の本体を示す図であり、（ａ）は内面側を示す平面図であり、（ｂ）は（ａ）のＣ−Ｃ断面を示す断面図である。
【符号の説明】
１０、１０’  本体
１１  底壁
１２（１２Ａ及び１２Ｂ）  側壁
１３  前面壁
１４  背面壁
１５  保持突起
１６  リング状突起
１７  外周リブ
１８  延長部
１９  支軸
２０  蓋体
２１  天壁
２２（２２Ａ及び２２Ｂ）  側壁
２３  リブ
２４  背面壁
２５  保持片
２６  孔
２７  切欠き
３１  補助壁
Ｃ  インデックスカード
Ｄ  ディスク状媒体
【図１】
0003744727.tif 000002
【図２】
0003744727.tif 000003
【図３】
0003744727.tif 000004
【図４】
0003744727.tif 000005
【図５】
0003744727.tif 000006